(57)【要約】【課題】護岸構造体の近傍の水域を当該水域に生息する生物にとってより一層好適なものに改善できるテラス構造を備えた護岸構造体を提供すること。【解決手段】本発明に係る護岸構造体１０は、水位が上下に変動する内湾の水路１などの沿岸域に設置され、当該沿岸域に生息する生物の生息場を形成するテラス構造２を備えたものであって、このテラス構造２は、当該沿岸域の平均低潮位ＭＬＷよりも低い位置に、石材５が敷詰められた平場３ａを有し、当該平場３ａを形成する複数の石材５は、水平方向の断面積が上方から下方に向かって徐々に小さくなるようにそれぞれ配置されていることを特徴とする。【選択図】図２
2010065473.tif 000002
【特許請求の範囲】
【請求項１】
水位が上下に変動する内湾の沿岸域に設置され、当該沿岸域に生息する生物の生息場を形成するテラス構造を備えた護岸構造体であって、
前記テラス構造は、当該沿岸域の平均低潮位よりも低い位置に、石材が敷詰められた平場を有し、
前記平場を形成する複数の石材は、水平方向の断面積が上方から下方に向かって徐々に小さくなるようにそれぞれ配置されていることを特徴とする護岸構造体。
【請求項２】
前記テラス構造は、前記平場の縁部から下方に延在する壁面を更に有することを特徴とする、請求項１に記載の護岸構造体。
【請求項３】
前記テラス構造は、前記平場を形成する複数の石材の下側に設けられ当該石材を支持する底質層を更に備えることを特徴とする、請求項１又は２に記載の護岸構造体。
【発明の詳細な説明】
【技術分野】
【０００１】
本発明は、水位が上下に変動する内湾の沿岸域に設置される護岸構造体に関し、より詳細には、内湾沿岸域の水路、運河、河口域などに設置され、これらの領域に生息する生物の生息場を形成するテラス構造を備えた護岸構造体に関する。
【背景技術】
【０００２】
潮汐に伴って海水と淡水とが混ざり合う汽水域は、多様な生物種の生息場となる。とりわけ内湾の沿岸域は、干潮時に潮だまりや干潟が出現するとともに、冠水しても波が比較的穏やかであるため、当該領域には種々の生物が生息し、安定した食物連鎖が維持される。例えば、東京湾の沿岸域はかつて「江戸前」と呼ばれ、ハゼ、ウナギ、テナガエビ、カニ、アサリなどが獲れる豊かな漁場として知られていた。
【０００３】
しかし、防災や治水を目的とした護岸改修により、内湾の護岸の多くはコンクリートや鋼矢板に姿を変え、その結果、水害を未然に防止できるようになった一方、沿岸域に生息していた多くの生物の生息場が失われてしまった。
【０００４】
近年、生態系保護や都市再生等の観点から、水路、運河、河川などの護岸に使用される構造体であって、多様な生物種の生息場を形成する機能を具備した構造体の開発がなされている。例えば、特許文献１、２には、潮だまりや干潟を人工的に再現可能な護岸構造体が記載されている。このような護岸構造体は、魚類や甲殻類に生息場を提供するのみならず、身近に楽しめる水辺空間を人々に提供するものと期待されている。
【特許文献１】特許第３０３１６７２号公報
【特許文献２】特許第３０９６７２０号公報
【発明の開示】
【発明が解決しようとする課題】
【０００５】
上記特許文献１、２に記載の護岸構造体は、いずれも満潮時及び干潮時の潮位の差を利用して潮だまりや干潟を再現することを目的としたものである。従って、これらの護岸構造体は、満潮時及び干潮時のそれぞれの水位の間に位置する部分について、窪みや階段状の砂浜を設けるなどの工夫がなされている。
【０００６】
しかし、上記護岸構造体は、干潮時の水位よりも低い位置に相当する部分については、特に工夫がなされていない。つまり、従来の護岸構造体は、干潮時の水位よりも低い領域の環境、すなわち、護岸構造体近傍の水中の環境を、当該領域に生息する生物にとってより好ましいものに改善するという点において未だ工夫の余地があった。
【０００７】
本発明は、このような実情に鑑みてなされたものであり、護岸構造体近傍の水域を当該水域に生息する生物にとってより一層好適なものに改善できるテラス構造付き護岸構造体を提供することを目的とする。
【課題を解決するための手段】
【０００８】
本発明に係る護岸構造体は、水位が上下に変動する内湾の沿岸域に設置され、当該沿岸域に生息する生物の生息場を形成するテラス構造を備えたものであって、このテラス構造は、当該沿岸域の平均低潮位よりも低い位置に、石材が敷詰められた平場を有し、当該平場を形成する複数の石材は、水平方向の断面積が上方から下方に向かって徐々に小さくなるようにそれぞれ配置されていることを特徴とする。
【０００９】
上記テラス構造は、石材が敷詰められてなる平場が水中に形成される構成となっている。かかる構成を採用することにより、単に鉛直方向に延在する壁面が水中に設けられた従来の護岸構造体と比較し、上記平場が太陽光を存分に受けることができ、そこに太陽光及びその照り返しによる高照度の環境が形成される。これにより、平場を形成する石材の表面に藻類を繁殖させることができる。藻類は光合成によって酸素を生産するとともに生物の餌となるため、上記平場近傍は当該水域に生息する生物にとって好適なものとなる。
【００１０】
上記平場を形成する複数の石材は、水平方向の断面積が上方から下方に向かって徐々に小さくなるようにそれぞれ配置されている。このようにして石材を配置することで、魚類、甲殻類又は貝類が鳥などの外敵に見つからないように身を隠す空間を平場に多く設けることができる。また、上記のように石材が配置されてなる平場には、太陽光が照射される部分と、石材によって太陽光が遮られて影となる部分とが生じ、光強度の多様性に富んだ環境が形成される。その結果、それぞれの光強度に適した多様の藻類が繁殖し、当該領域に生息できる生物種の多様性が向上する。
【００１１】
本発明に係る護岸構造体が備えるテラス構造は、平場の縁部から下方に延在する壁面を更に有することが好ましい。上記壁面に係る構成を採用することにより、水路や運河の底部を流れる低酸素水が平場の上方に流れ込むことを十分に防止できる。このため、平場の近傍に生息する生物の酸欠による被害を十分に防止できる。
【００１２】
また、本発明に係る護岸構造体が備えるテラス構造は、平場を形成する複数の石材の下側に設けられ当該石材を支持する底質層を更に備えることが好ましい。かかる構成を採用することにより、底質層がアサリやゴカイ等の砂中生活生物の生息場となり、当該領域に生息できる生物種の多様性がより一層向上する。
【発明の効果】
【００１３】
本発明によれば、護岸構造体の近傍の水域を当該水域に生息する生物にとってより一層好適なものに改善できる。
【発明を実施するための最良の形態】
【００１４】
以下、図面を参照しつつ本発明の好適な実施形態について詳細に説明する。
【００１５】
まず、図１，２を参照しながら、本発明に係るテラス構造付き護岸構造体の好適な一実施形態について説明する。図１は、本実施形態に係るテラス構造付き護岸構造体１０を示す斜視図である。護岸構造体１０は、内湾の沿岸域に設置されたものであり、当該内湾の潮位の変動に伴って水位が上下に変動する水路１の護岸の一部をなしている。図２は、水路１の長手方向に垂直な方向の護岸構造体１０の断面を示す図である。図２に示す水位ＭＬＷは平均低潮位（Mean  Low  Water）を、水位ＭＨＷは平均高潮位（Mean  High  Water）をそれぞれ示す。なお、図１は水路１の水面Ｓが平均低潮位（ＭＬＷ）にある状態を示したものである。
【００１６】
護岸構造体１０は、水路１の護岸の一部をなす壁面１ａと、この壁面１ａに沿って構築されたテラス構造２とを備える。水路１に沿って設けられたフェンス２０は、通行人等が水路１に転落するのを防止するためのものである。
【００１７】
図１，２に示すように、テラス構造２は３段構成となっており、下段の平場３ａ、中段の平場３ｂ及び上段の平場３ｃを備える。テラス構造２の本体部は、例えば、現場におけるコンクリート打設又はプレキャストセグメントの組立てによって構築される。その後、本体部の凹部２ａ，２ｂ，２ｃに石材、砂などを適宜充填することによって、平場３ａ，３ｂ，３ｃがそれぞれ形成される。
【００１８】
テラス構造２は、図２に示すように、下段の平場３ａの縁部から水路１の底面に向けて鉛直方向に延在する壁面２ｄを少なくとも有することが好ましく、中段の平場３ｂの縁部から下段の平場３ａに向けて鉛直方向に延在する壁面２ｅ及び上段の平場３ｃの縁部から中段の平場３ｂに向けて鉛直方向に延在する壁面２ｆを更に備えることがより好ましい。上記壁面２ｄ，２ｅ，２ｆに係る構成を採用することにより、水路１の底部の低酸素水が平場３ａ，３ｂ，３ｃへと上昇することを十分に防止できる。これにより、平場３ａ，３ｂ，３ｃに生息する生物の酸欠による被害を十分に防止できる。
【００１９】
なお、壁面２ｄと水路１の底面とのなす角度（図２に示した角度α）は、水路１の底面近傍の低酸素水が平場３ａよりも上方に流入することを十分に抑制できれば、９０°に限定されるものではない。上記低酸素水の流入を一層確実に抑制する観点から、角度αは６０〜９０°であることが好ましい。角度αが９０°を越えると、低酸素水が平場３ａ上に流れ込みやすくなる傾向がある。他方、角度αが６０°未満のテラス構造は角度αが６０°以上のものと比較し、その構築が困難となる傾向がある。
【００２０】
図２に示す通り、下段の平場３ａは、平均低潮位（ＭＬＷ）よりも低い位置に設けられている。下段の平場３ａは、凹部２ａに石材５を敷詰めることによって形成されたものである。平場３ａの上面が略水平な面となるように石材５を敷詰めることで、水中の平場３ａには太陽光が存分に照射される。これにより、平場３ａを形成する石材５の表面に藻類を繁殖させることができる。藻類は光合成によって酸素を生産するとともに生物の餌となるため、平場３ａ近傍の領域は当該水域に生息する生物にとって好適なものとなる。
【００２１】
水平面をなすように設けられた平場３ａは、上記のように酸素及び餌の点で環境が改善されるのみならず、以下のような利点がある。すなわち、平場３ａの上面が略水平に形成されたものであると、ハゼなどの底生魚とっては上方の外敵（例えば、鳥など）の動きを把握しやすく、比較的安心して生息できるため、平場３ａ上が底生魚の好適な生息場となる。また、平場３ａを石材５によって形成することで、水の流れによる浸食が抑制されるという利点もある。
【００２２】
平場３ａが形成される領域の水深（水面から平場３ａの上面までの高低差）は、平場３ａに十分に太陽光が照射される範囲であれば特に制限はないが、０．３〜１．５ｍ程度であることが好ましい。水深が０．３ｍ未満であると、平場３ａ上に生息する底生魚が鳥に捕食されやすくなり、他方、水深が１．５ｍを越えると、照度が不足して藻類の繁殖が不十分となりやすい。
【００２３】
平場３ａを敷設するに際しては、まず、凹部２ａ内に底質からなる底質層４を形成する。底質層４は、例えば、粘土（粒径０．００５ｍｍ未満の土）、シルト（粒径０．０７４〜０．００５ｍｍの土）又は砂質土（粒径２〜０．０７４ｍｍの砂分を多く含む土）を含む混合物によって形成することができる。粘土、シルト及び砂などからなる底質層４を凹部２ａ内に形成することで、この底質層４がアサリやゴカイ等の砂中生活生物の生息場となり、当該領域に生息できる生物種の多様性が更に向上する。
【００２４】
凹部２ａ内に底質層４を形成した後、その上に複数の石材５を配置し、平場３ａを敷設する。平場３ａの上面を形成する複数の石材５は、水平方向の断面積が上方から下方に向かって徐々に小さくなるようにそれぞれ配置する（図２参照）。このように石材５を配置することで、魚類、甲殻類又は貝類が鳥などの外敵に見つからないように身を隠す空間を平場３ａに多く設けることができる。これに加え、石材５の間に連続した空間が形成されるため、通水がよく当該空間の水質環境が一定に保たれる。また、上記のように石材５が配置されてなる平場３ａには太陽光が均一に照射される部分が拡大するとともに、石材５によって太陽光が遮られて影となる部分が生じる。これにより、光強度の多様性に富んだ環境が形成される。その結果、それぞれの光強度に適した多様の藻類が繁殖し、当該領域に生息できる生物種の多様性がより一層向上する。
【００２５】
石材５は、天然石材又は人工石材のいずれでもよい。人工石材の具体例として、コンクリートブロック、コンクリートの廃材（いわゆるコンクリートガラ）などを例示できる。また、補助材としてソダ等を組み合わせることもできる。なお、石材５の色調又は表面粗度を適宜調整することによって平場３ａの光環境を調整し、栄養価の高い珪藻を選択的に増殖させるなどの工夫を更に行ってもよい。
【００２６】
中段の平場３ｂ及び上段の３ｃは、満潮時及び干潮時の水位の差を利用して潮だまりを再現することを目的としたものである。これらの平場３ｂ，３ｃは、上述の平場３ａと以下の点において相違するがその他の構成については平場３ａと同様である。すなわち、平場３ｂ，３ｃは、砂泥などが充填されてなる潮だまり６と、凹部２ｂ，２ｃの周縁部に設けられた切欠き７とを更に有する。
【００２７】
平場３ｂ，３ｃに設けられた潮だまり６は、砂泥などの表面やその内部に好んで生息する生物種の好適な生息場となる。また、凹部２ｂ，２ｃの周縁部に切欠き７を設けることで、水位の変動に伴う水の出入りを切欠き７が設けられた部分に限定できる。このことにより、水位の上昇時には溶存酸素を豊富に含む水を切欠き７を通じて勢いよく凹部２ｂ，２ｃに取り込み、他方、水位の下降時には潮だまり６の表面の淡水や浮遊物を切欠き７を通じて勢いよく排出することができる。その結果、平場３ｂ，３ｃの環境を良好な状態に十分維持できる。
【００２８】
平場３ｂ，３ｃに配置する石材５は、平場３ａに配置する石材５と同様、水平方向の断面積が上方から下方に向かって徐々に小さくなるようにそれぞれ配置することが好ましい（図２参照）。このように石材５を配置することで、平場３ａと同様、魚類や甲殻類の身を隠す空間を平場３ｂ，３ｃに多く設けることができる。これらの空間は、干潮時に石材５が露出した場合であっても直射日光が遮られて影となるとともに、凹部２ｂ，２ｃに溜まった水の気化熱により、夏場でも周囲と比較して低い温度に保たれる。他方、これらの空間は冬場には太陽光によって石材５が暖められ、周囲と比較して高い温度に保たれる。
【００２９】
以上、本発明の好適な実施形態について詳細に説明したが、本発明に係るテラス構造付き護岸構造体は上記実施形態に限定されるものではない。例えば、上記実施形態においては、特に好ましい形態として底質層４の上に石材５を配置する場合を例示したが、石材５によって平場３ａを形成できれば、必ずしも底質層４は設けなくてもよい。
【００３０】
また、上記実施形態においては、３段構成のテラス構造２を例示したが、当該沿岸域の平均低潮位よりも低い位置に平場を少なくとも１段有するものであれば、テラス構造の段数は１段又は２段であってもよく、あるいは、４段以上であってもよい。また、テラス構造２の最下段となる平場３ａは、略最低低潮面よりも低い位置に設けてもよい。更に、上記実施形態では、壁面１ａ，２ｆ等が平坦面からなる場合を例示したが、壁面１ａ，２ｆ等として溝や貫通孔が形成され、生物の生息場を形成可能な生物共生型護岸パネル（いわゆるカニパネル）を採用してもよい。
【００３１】
また、平場３ａ，３ｂ，３ｃは、水路１の長手方向と一致する方向に長辺を有する矩形のものに限定されず、これらの周縁部が曲線を描くような形状であってもよい（図３参照）。曲線からなる形状を採用することで、美観の点でより好ましい構造体を創造できるとともに、曲面をなすテラス構造の壁面に沿って水路１の水が流れることで、平場３ａ，３ｂ，３ｃ付近で水流に乱れが生じて、平場３ａ，３ｂ，３ｃに溶存酸素を豊富に含む水が供給されやすくなるという利点がある。
【００３２】
更に、上記実施形態においては、水路１の壁面１ａから張り出すようにテラス構造２を構築する場合を例示したが、図４に示す通り、水路１の幅を部分的に広く設け、そこにテラス構造２を構築してもよい。このような位置にテラス構造２を設けることで、テラス構造２が船の航行の妨げになることを防止できる。なお、潮だまり６を設ける位置は、切欠き７の近傍に限定されず、図４に示すように、切欠き７と潮だまり６との間に石材５を介在させてもよい。
【００３３】
また、上記実施形態においては、コンクリートからなる本体部を有するテラス構造を例示したが、製造又は敷設工事に要するコストを削減する観点から、鉄骨やコンクリート柱のフレームによって本体部を形成してもよい。図５は、このような構成を有するテラス構造付き護岸構造体の実施形態を示す斜視図である。フレーム２３の各段に凹部を有する部材２１ａ，２１ｂ，２１ｃを設置することによってテラス構造２５が構築される。テラス構造２５は、設置及び撤去が比較的容易であるという利点がある。テラス構造２５は、例えば、部材２１ａ，２１ｂ，２１ｃの各凹部に石材や底質を充填する作業を地上で行って平場３ａ、潮だまり６等を形成した後、これらの部材を所定の位置まで運搬することによって設置できる。
【００３４】
図５に示すように、フレーム２３の正面に設置されるプレート２４には、水抜穴２４ａを複数設けることが好ましい。なお、テラス構造２５を水路１の長手方向に複数並べて配置する場合、隣接するテラス構造２５同士を離隔して設置することが好ましい。かかる構成を採用することにより、波当りが強い場合であっても隣接するテラス構造２５の間に水が抜ける流路を確保できる。また、鉄骨やコンクリート柱のフレームによって本体部を形成する代わりに、捨石などを積み重ねて本体部を形成してもよい。
【００３５】
更に、テラス構造の設置及び撤去をより一層容易にする観点から、水路１の護岸天端１ｂからテラス構造を吊るすようにしてテラス構造付き護岸構造体を構築してもよい。図６は、このような構成を有するテラス構造付き護岸構造体の実施形態を示す断面図である。この場合、部材３１の凹部３１ａに平場３ａ及び底質層４が形成される。このテラス構造３５は、最下段となる平場３ａの上面が平均低潮位ＭＬＷあるいは略最低低潮面よりも低い高さ（位置）になるように、支持部材３６によって固定される。
【００３６】
また、上記実施形態では、本発明に係るテラス構造付き護岸構造体を水路１の護岸に適用する場合を例示したが、水位が上下に変動する内湾の沿岸域であれば、水路以外にも適用することができ、例えば、河川の河口域、運河等の護岸に適用できる。
【実施例】
【００３７】
（実施例１）
東京湾の沿岸域の水位が上下に変動する水路に、図７（ａ）に示す構成のテラス構造を有する護岸構造体を構築した。当該テラス構造は、石材によって形成された平場を平均低潮位（ＭＬＷ）よりも低い位置に有するものであり、水路の底面から平場の上面までの高さは２ｍとした。テラス構造を構築してから４ヶ月後、図７（ａ）に示す領域Ａ１，Ｂ１，Ｃ１から水を採取し、採取した水の溶存酸素量をそれぞれ測定した。
【００３８】
（比較例１）
図７（ｂ）に示す構成の護岸構造体近傍の領域Ａ２，Ｂ２，Ｃ２から水を採取し、採取した水の溶存酸素量を測定した。溶存酸素量の測定は実施例１における測定と同日に実施した。図７（ｂ）に示す護岸構造体は、上記実施例１に係る護岸構造体の付近に設けられたものである。
【００３９】
表１に満潮時及び干潮時にそれぞれ採取した各領域の溶存酸素量の測定結果を示す。なお、干潮時の水位よりも上方に位置する領域Ａ１及び領域Ａ２については満潮時のみ水を採取し、その溶存酸素量を測定した。また、上記実施例１及び比較例１の溶存酸素量の測定を行った日の満潮時の水位と干潮時の水位との高低差は約２ｍであり、干潮時における水面から平場の上面までの高低差は、約０．３ｍであった。
【表１】
2010065473.tif 000003
【００４０】
表１に示された結果から明らかなように、実施例１に係る護岸構造体を採用することで、平場上方の領域（領域Ｂ１）の溶存酸素量が特に向上することが示された。平場を形成する石材上には藻類の付着が認められ、溶存酸素量の向上は藻類の光合成によるものと考えられる。また、実施例１に係る護岸構造体の平場の表面上にはハゼの群れが確認された。
【図面の簡単な説明】
【００４１】
【図１】本発明に係る護岸構造体の第１実施形態を示す斜視図である。
【図２】図１に示された護岸構造体の断面図である。
【図３】本発明に係る護岸構造体の第２実施形態を示す上面図である。
【図４】本発明に係る護岸構造体の第３実施形態を示す上面図である。
【図５】本発明に係る護岸構造体の第４実施形態を示す斜視図である。
【図６】本発明に係る護岸構造体の第５実施形態を示す断面図である。
【図７】（ａ）及び（ｂ）は実施例及び比較例に係る護岸構造体をそれぞれ示す断面図である。
【符号の説明】
【００４２】
１…水路、２，２５，３５…テラス構造、２ｄ…壁面、３ａ…平場、４…底質層、５…石材、１０…護岸構造体、Ｓ…水面。
【図１】
2010065473.tif 000004
【図２】
2010065473.tif 000005
【図３】
2010065473.tif 000006
【図４】
2010065473.tif 000007
【図５】
2010065473.tif 000008
【図６】
2010065473.tif 000009
【図７】
2010065473.tif 000010